(57)【要約】【課題】担当者の作業の軽減とより効果の高いコンテンツ配信の実現を行う。【解決手段】情報配信サーバは、コンテンツ送信手段と測定データ受信手段と広告効果処理手段と効果測定データベースとデータ入力手段とテンプレート選択手段とコンテンツ生成手段と、を備える。測定データ受信手段は、コンテンツデータについての広告効果の測定に用いる測定情報をコンテンツ配信期間中に受信する。広告効果処理手段は、受信した測定情報に基づいて広告効果が高いかどうかを判断する。効果測定データベースは、判断した広告効果を測定情報とともに画面テンプレート毎に蓄積する。テンプレート選択手段は、入力された企画情報に基づいて効果測定データベースを参照して広告効果が高い画面テンプレートを優先して選択する。コンテンツ生成手段は、選択した画面テンプレートを用いてコンテンツデータを生成してスケジュールに登録する。【選択図】図９
2014052399.tif 000002
【特許請求の範囲】
【請求項１】
サイネージ端末に対してコンテンツデータを登録されたスケジュールに従って送信するコンテンツ送信手段と、
前記コンテンツ送信手段によって送信された前記コンテンツデータについての広告効果の測定に用いる測定情報をコンテンツ配信期間中に受信する測定データ受信手段と、
前記測定データ受信手段により受信した前記測定情報に基づいて広告効果が高いかどうかを判断する広告効果処理手段と、
前記広告効果処理手段によって判断した広告効果を前記測定情報とともに前記コンテンツデータに使用する画面テンプレート毎に蓄積する効果測定データベースと、
所定の企画情報を入力するデータ入力手段と、
前記データ入力手段を介して入力された前記企画情報に基づいて前記効果測定データベースを参照して広告効果が高い画面テンプレートを優先して選択するテンプレート選択手段と、
前記テンプレート選択手段が選択した画面テンプレートを用いて前記コンテンツデータを生成してスケジュールに登録するコンテンツ生成手段と、
を備えることを特徴とする情報配信サーバ。
【請求項２】
前記広告効果処理手段は、前記コンテンツ生成手段を制御して異なる画面テンプレートをランダムに用いて前記コンテンツデータを生成して得た前記測定情報に基づいて広告効果が高いかどうかを判断する、
ことを特徴とする請求項１記載の情報配信サーバ。
【請求項３】
前記広告効果処理手段は、前記コンテンツ生成手段を制御して複数の場所で異なる画面テンプレートを用いて前記コンテンツデータを生成して得た前記測定情報に基づいて広告効果が高いかどうかを判断する、
ことを特徴とする請求項１記載の情報配信サーバ。
【請求項４】
コンピュータを、
サイネージ端末に対してコンテンツデータを登録されたスケジュールに従って送信するコンテンツ送信手段と、
前記コンテンツ送信手段によって送信された前記コンテンツデータについての広告効果の測定に用いる測定情報をコンテンツ配信期間中に受信する測定データ受信手段と、
前記測定データ受信手段により受信した前記測定情報に基づいて広告効果が高いかどうかを判断する広告効果処理手段と、
所定の企画情報を入力するデータ入力手段と、
前記広告効果処理手段によって判断した広告効果を前記測定情報とともに前記コンテンツデータに使用する画面テンプレート毎に蓄積する効果測定データベースを参照して、前記データ入力手段を介して入力された前記企画情報に基づいて広告効果が高い画面テンプレートを優先して選択するテンプレート選択手段と、
前記テンプレート選択手段が選択した画面テンプレートを用いて前記コンテンツデータを生成してスケジュールに登録するコンテンツ生成手段と、
として機能させるためのプログラム。
【請求項５】
前記広告効果処理手段は、前記コンテンツ生成手段を制御して異なる画面テンプレートをランダムに用いて前記コンテンツデータを生成して得た前記測定情報に基づいて広告効果が高いかどうかを判断する、
ことを特徴とする請求項４記載のプログラム。
【請求項６】
前記広告効果処理手段は、前記コンテンツ生成手段を制御して複数の場所で異なる画面テンプレートを用いて前記コンテンツデータを生成して得た前記測定情報に基づいて広告効果が高いかどうかを判断する、
ことを特徴とする請求項４記載のプログラム。
【発明の詳細な説明】
【技術分野】
【０００１】
本発明の実施形態は、情報配信サーバおよびプログラムに関する。
【背景技術】
【０００２】
広告、イベント、お知らせ等のコンテンツを不特定者に提示する仕組みとして、表示装置等のサイネージ端末にデジタル化されたコンテンツ情報を表示再生させる情報表示システム、いわゆるデジタルサイネージシステムが知られている。
【発明の概要】
【発明が解決しようとする課題】
【０００３】
ところで、デジタルサイネージシステムでは、予め用意したコンテンツ情報を指定したスケジュールやユーザ操作に従ってサイネージ端末におけるコンテンツ情報の表示再生を行っている。
【０００４】
しかしながら、従来のデジタルサイネージシステムでは、サイネージ端末に配信されるコンテンツ情報について、過去に実施した企画（広告、イベント、お知らせ等）に関する効果の測定結果などと連動されることなくスケジューリングされているのが現状である。
【課題を解決するための手段】
【０００５】
実施形態の情報配信サーバは、コンテンツ送信手段と、測定データ受信手段と、広告効果処理手段と、効果測定データベースと、データ入力手段と、テンプレート選択手段と、コンテンツ生成手段と、を備える。前記コンテンツ送信手段は、サイネージ端末に対してコンテンツデータを登録されたスケジュールに従って送信する。前記効果測定データ受信手段は、前記コンテンツ送信手段によって送信された前記コンテンツデータについての広告効果の測定に用いる測定情報をコンテンツ配信期間中に受信する。前記広告効果処理手段は、前記測定データ受信手段により受信した前記測定情報に基づいて広告効果が高いかどうかを判断する。前記効果測定データベースは、前記広告効果処理手段によって判断した広告効果を前記測定情報とともに前記コンテンツデータに使用する画面テンプレート毎に蓄積する。前記データ入力手段は、所定の企画情報を入力する。前記テンプレート選択手段は、前記データ入力手段を介して入力された前記企画情報に基づいて前記効果測定データベースを参照して広告効果が高い画面テンプレートを優先して選択する。前記コンテンツ生成手段は、前記テンプレート選択手段が選択した画面テンプレートを用いて前記コンテンツデータを生成してスケジュールに登録する。
【図面の簡単な説明】
【０００６】
【図１】図１は、実施形態のサイネージシステムの概略構成を示すブロック図である。
【図２】図２は、サイネージ端末の外観正面図である。
【図３】図３は、サイネージ端末の概略構成を示すブロック図である。
【図４】図４は、情報配信サーバの概略構成を示すブロック図である。
【図５】図５は、テンプレートデータベースに蓄積されるデータの構成を示す図である。
【図６】図６は、特売用の画面テンプレートの概要を示す模式図である。
【図７】図７は、コンテンツデータベースに蓄積されるデータの構成を示す図である。
【図８】図８は、効果測定データベースに蓄積されるデータの構成を示す図である。
【図９】図９は、情報配信サーバおよびサイネージ端末の機能的構成を示すブロック図である。
【図１０】図１０は、異なる画面テンプレートの利用例を示す図である。
【図１１】図１１は、情報配信サーバにおける処理動作の流れを示すフローチャートである。
【発明を実施するための形態】
【０００７】
図１は、本実施形態にかかるサイネージシステム１０の概略構成を示すブロック図である。以下の説明では、本実施形態にかかる情報表示システムであるサイネージシステム１０が量販店に設けられた場合について説明する。
【０００８】
本実施形態にかかるサイネージシステム１０は、情報配信サーバ１１と、複数のサイネージ端末１４とを主体に構成されている。また、サイネージシステム１０は、複数のＰＯＳ（Point  Of  Sale）端末１５と、外部装置であるストアサーバ１６と、を備えている。
【０００９】
情報配信サーバ１１は、構内ＬＡＮ（Local  Area  Network）等の通信ネットワーク１２を介してサイネージ端末１４に接続されており、商品の広告情報やイベントの情報などのコンテンツデータをサイネージ端末１４に対して配信、またはコンテンツデータをサイネージ端末１４からのアクセスによって取得させる。
【００１０】
サイネージ端末１４は、店舗の敷地内（商品を販売する商品売場や、店舗の入口など）に設置され、通信ネットワーク１２を介して情報配信サーバ１１から受信または取得したコンテンツデータを再生して表示する。
【００１１】
ストアサーバ１６は、商品コード、売価情報、商品名情報、特売価格情報、特売期間情報などのＰＯＳマスタデータやＰＯＳ端末１５から送られてくる売上データに基づいて売上管理を行う。
【００１２】
また、ストアサーバ１６は、商品コード，売価情報，商品名情報，特売価格情報，特売期間情報などのＰＯＳマスタデータを情報配信サーバ１１に出力する。特に、ストアサーバ１６は、商品コード，特売価格情報，特売期間情報，コンテンツ配信時間などを含む特売情報を新規に登録した場合や更新した場合に、当該特売情報を情報配信サーバ１１に出力する。
【００１３】
各ＰＯＳ端末１５は、店舗の会計場所などに設置され、通信ネットワーク１２を介してストアサーバ１６との間でＰＯＳマスタデータ（商品コード，売価情報，商品名情報，特売価格情報，特売期間情報など）の送受信を行う。各ＰＯＳ端末１５は、ＰＯＳマスタデータを用いることによって、客が購入する商品の登録および決済を行う。
【００１４】
次に、サイネージ端末１４について説明する。図２は、サイネージ端末１４の外観正面図である。図２に示すように、サイネージ端末１４は、液晶ディスプレイあるいはプラズマディスプレイなどとして構成されたディスプレイユニット２１と、各種チケット，クーポン等を印刷して発行するプリンタユニット２２と、ディスプレイユニット２１，プリンタユニット２２を保持する筐体部２４と、を備えている。
【００１５】
筐体部２４の上部には、人物を撮影して画像認識を行い、人物の年齢層を特定し、配信する情報の種類を制御する等の用途に用いられるカメラユニット２５が内蔵されている。また、筐体部２４の下部には、ＢＧＭや広告音声等の各種音響出力を行うスピーカユニット２６が内蔵されている。なお、画像認識等の処理は、サイネージ端末１４で行うことなく、情報配信サーバ１１等の上位サーバで行っても良い。
【００１６】
図３は、サイネージ端末１４の概略構成を示すブロック図である。図３に示すように、サイネージ端末１４は、上述したディスプレイユニット２１、プリンタユニット２２、カメラユニット２５、およびスピーカユニット２６の他、当該サイネージ端末１４全体を制御するコントローラ３１と、ユーザが各種操作を行うための操作部３２と、通信ネットワーク１２を介して情報配信サーバ１１との間で通信を行うためのネットワーク通信インタフェース（ＩＦ）３３と、コンテンツデータなどの各種データを記憶する外部記憶装置３５と、を備えている。外部記憶装置３５は、ハードディスク装置（ＨＤＤ：Hard  Disk  Drive）やＳＳＤ（Solid  State  Drive）装置などで実現される。
【００１７】
ここで、コントローラ３１は、当該コントローラ３１全体を制御するＭＰＵ（Micro  Processing  Unit）３６と、ＭＰＵ３６が動作するための制御プログラム等を格納したＲＯＭ（Read  Only  Memory）３７と、各種データを一時的に記憶するＲＡＭ（Random  Access  Memory）３８と、を備えている。そして、コントローラ３１は、ＭＰＵ３６がＲＯＭ３７に格納された制御プログラムを実行することにより、通信ネットワーク１２を介して情報配信サーバ１１から配信されたコンテンツデータを再生して、再生したコンテンツデータをディスプレイユニット２１に表示する。また、操作部３２は、各種スイッチ、ボタン等で構成したり、タッチパネルとしてディスプレイユニット２１と一体に構成したりしても良い。
【００１８】
このような構成により、サイネージ端末１４は、基本的には、情報配信サーバ１１で再生スケジュールとして予め設定された複数のコンテンツデータを受信または取得する。そして、サイネージ端末１４は、ディスプレイユニット２１を用いて、コンテンツデータとして広告する商品（以下、「広告商品」という場合がある。）に関する広告情報（広告商品を撮影した動画像や、広告商品を紹介または説明する文章など）を表示したり、スピーカユニット２６を用いて、広告商品を紹介または説明する音声を出力したりする。
【００１９】
次に、情報配信サーバ１１について説明する。図４は、情報配信サーバ１１の概略構成を示すブロック図である。図４に示すように、情報配信サーバ１１は、当該情報配信サーバ１１全体を制御するコントローラ４１と、ユーザが各種操作を行うためのキーボードやマウス等を有する操作部４２と、通信ネットワーク１２を介してサイネージ端末１４との間で通信を行うためのネットワーク通信インタフェース（ＩＦ）４３と、各種データや制御プログラムを記憶する外部記憶装置４４と、液晶ディスプレイとして構成されたディスプレイユニット４５と、を備えている。外部記憶装置４４は、ハードディスク装置（ＨＤＤ：Hard  Disk  Drive）やＳＳＤ（Solid  State  Drive）装置などで実現される。
【００２０】
ここで、コントローラ４１は、当該コントローラ４１全体を制御するＭＰＵ４６と、ＭＰＵ４６が動作するための制御プログラム等を格納したＲＯＭ４７と、各種データを一時的に記憶するＲＡＭ４８と、を備えている。
【００２１】
即ち、コントローラ４１は、ＭＰＵ４６がＲＯＭ４７や外部記憶装置４４などに格納される制御プログラムをＲＡＭ４８に展開して実行することにより、各種構成要素の動作を制御するとともに、ネットワーク通信ＩＦ４３および通信ネットワーク１２を介して接続されるストアサーバ１６やサイネージ端末１４との間で上記ＰＯＳマスタデータ（商品コード，売価情報，商品名情報，特売価格情報，特売期間情報など）や各サイネージ端末１４に配信するコンテンツデータなどの各種データを送受信する動作を制御するものである。
【００２２】
加えて、詳細は後述するが、情報配信サーバ１１のコントローラ４１は、各サイネージ端末１４に対して配信したコンテンツデータについて、実際に広告効果が高いかどうかをコンテンツ配信期間中に収集した測定情報を基に判断する。
【００２３】
外部記憶装置４４は、素材データベースＤＢ１と、テンプレートデータベースＤＢ２と、コンテンツデータベースＤＢ３を格納している。
【００２４】
素材データベースＤＢ１は、例えば、商品を客に広告するための画像（例えば、商品を撮影した動画像や静止画像）を素材データとして、当該商品の商品コードに対応付けて記憶する。また、素材データベースＤＢ１は、例えば、ストアサーバ１６から受信する特売情報に対応して、その商品が特売の対象であることを示す文字（「お買い得！」など）や、特売における商品の特売価格を示す文字（「１００円」など）などを素材データとして記憶する。
【００２５】
テンプレートデータベースＤＢ２は、商品の販売促進に係わるイベントである優待企画の内容などに特化したデジタルサイネージのコンテンツを編集するのに必要な画面テンプレートを蓄積する。
【００２６】
例えば、画面テンプレートは、あらかじめ“特売”や“見切り”などの企画種別を設定しておき、コントローラ４１が画面テンプレートを選択する際の指針とする。このように企画種別をあらかじめ設定することで、コントローラ４１が動的に画面テンプレートを選択し、選択された画面テンプレートに設定された企画種別に従って配信を行うことができる。このような画面テンプレートは、企画種別によって変更される部分にどのような情報をはめ込むのかを定義してあり、コントローラ４１が自動的に設定内容から必要情報（素材データベースＤＢ１の素材データ）を引き当ててはめ込む。
【００２７】
図５は、テンプレートデータベースＤＢ２に蓄積されるデータの構成を示す図である。図５に示すように、テンプレートデータベースＤＢ２には、レコード番号順に、企画ＩＤと企画種別とテンプレートデータとが記述されたテンプレートデータレコードが蓄積されている。企画ＩＤは、対応する企画種別で特定される優待企画を識別するための情報である。
【００２８】
すなわち図５に示す例では、レコード番号［１］のレコードに、キャンペーン企画の企画ＩＤ及び企画種別と画面テンプレートＡとが記述され、レコード番号［２］のレコードに、フロア企画の企画ＩＤ及び企画種別と画面テンプレートＢとが記述され、レコード番号［３］のレコードに、カタログ企画の企画ＩＤ及び企画種別と画面テンプレートＣとが記述され、レコード番号［４］のレコードに、特売企画の企画ＩＤ及び企画種別と画面テンプレートＤとが記述されている。
【００２９】
画面テンプレートは、サイネージ端末１４のディスプレイユニット２１に表示する画面表示デザインを示すものであって、仕様に基づいてデータを設定する。ここで、仕様とは、サイネージ端末１４のディスプレイユニット２１に対するコンテンツデータの表示の際に、所定の領域に正しくコンテンツデータが設定されるようにするものである。例えば、ＸＡＭＬ（アプリケーションソフトのユーザーインターフェースを記述するための言語仕様）を利用した場合、コンテンツの素材データを設定する要素名は共通の要素基底名とインデックス（例えば、基底名Itemとすると、Item01,Item02,・・・）で記載する。
【００３０】
例えば、図６は、特売用の画面テンプレートＤの概要を示す模式図である。図６に示すように、画面テンプレートＤには、特売広告用の広告コンテンツを表示する広告エリアＸと、特売商品のコンテンツを表示する商品エリアＹと、特売期間を表示する期間エリアＺと、が設けられている。
【００３１】
広告エリアＸは、特売の対象商品の名称や特売における商品の特売価格等を表示するエリアである。商品エリアＹは、特売の対象商品の画像等を表示するエリアである。期間エリアＺは、特売期間などを表示するエリアである。
【００３２】
コンテンツデータベースＤＢ３は、後述する情報配信サーバ１１における処理動作により作成されたコンテンツデータなどを蓄積する。
【００３３】
図７は、コンテンツデータベースＤＢ３に蓄積されるデータの構成を示す図である。図７に示すように、コンテンツデータベースＤＢ３には、コンテンツを識別する識別情報としてコンテンツＩＤと、当該コンテンツＩＤにより識別されるコンテンツのコンテンツ名と、当該コンテンツＩＤにより識別されるコンテンツデータと、が蓄積されている。
【００３４】
加えて、外部記憶装置４４は、効果測定データベースＤＢ４を格納している。図８は、効果測定データベースＤＢ４に蓄積されるデータの構成を示す図である。図８に示すように、効果測定データベースＤＢ４は、後述する広告効果（高、中、低など）を測定情報とともにサイネージ端末１４に対して配信したコンテンツデータの内容（コンテンツに使用した画面テンプレートの企画ＩＤ）毎に蓄積する。測定情報の一例としては、商品分類、時間帯、気象情報（天気、気温）、通常時とコンテンツ配信時（例えば特売時）の売上金額の差、通常時とコンテンツ配信時（例えば特売時）の販売数の差、客層などである。なお、気象情報を測定情報として収集する場合は、インターネットを通じて公開されている気象予報情報提供サービスなどと連携して取得することができる。また、通常時とコンテンツ配信時（例えば特売時）の売上金額の差、通常時とコンテンツ配信時（例えば特売時）の販売数の差、客層などについては、ストアサーバ１６から取得することができる。
【００３５】
次に、情報配信サーバ１１およびサイネージ端末１４の機能的構成について図９を用いて説明する。図９は、情報配信サーバ１１およびサイネージ端末１４の機能的構成を示すブロック図である。
【００３６】
図９に示すように、サイネージ端末１４のコントローラ３１のＭＰＵ３６は、ＲＯＭ３７などに格納される制御プログラムをＲＡＭ３８に展開して実行することにより、測定データ送信手段３１１、再生するコンテンツを情報配信サーバ１１から受信するコンテンツ受信手段３１２として機能する。
【００３７】
測定データ送信手段３１１は、測定情報を情報配信サーバ１１に送信する。例えば、サイネージ端末１４の前で立ち止まる閲覧者をサイネージ端末１４に設けられたカメラユニット２５により撮像した撮像画像データに基づく当該閲覧者の年齢および性別である客層の判定結果や操作部３２の操作履歴（注目度）を測定情報として情報配信サーバ１１に送信する。
【００３８】
次に、情報配信サーバ１１の機能的構成について説明する。図９に示すように、情報配信サーバ１１のコントローラ４１のＭＰＵ４６は、ＲＯＭ４７や外部記憶装置４４などに格納される制御プログラムをＲＡＭ４８に展開して実行することにより、データ入力手段４１１、測定データ受信手段４１２、広告効果処理手段４１３、コンテンツ生成手段４１４、テンプレート選択手段４１５、コンテンツ送信手段４１６、企画設定処理手段４１７として機能する。
【００３９】
データ入力手段４１１は、サイネージ端末１４において特売広告（即ち、再生スケジュールで予め設定された広告コンテンツとは異なる特売情報を含む広告コンテンツの再生）用の広告コンテンツを生成するのに必要なデータ（企画情報）をストアサーバ１６から入力するものである。ここで、企画情報は、上述したように、商品コード，特売価格情報，特売期間情報、コンテンツ配信時間などから構成される情報である。
【００４０】
測定データ受信手段４１２は、サイネージ端末１４から情報配信サーバ１１に対して送信された測定情報を受信する。
【００４１】
広告効果処理手段４１３は、各サイネージ端末１４に対して配信したコンテンツデータについて、実際に広告効果が高いかどうかをコンテンツ配信期間中に収集した測定情報を基に判断する。広告効果処理手段４１３は、判断した広告効果（高、中、低など）を測定情報とともにコンテンツデータに使用する画面テンプレート毎に効果測定データベースＤＢ４に蓄積する。
【００４２】
また、広告効果処理手段４１３は、システム稼働初期段階では情報が少なく測定精度が低いので、精度向上のためにコンテンツ生成手段４１４を制御して異なる画面テンプレートをランダムに利用したり、複数の場所で異なる画面テンプレートを利用したりして、複数のコンテンツデータを配信することで多くの測定情報を収集する。一定期間システムを稼働し続け、自動分析可能となるだけの測定情報が蓄積されると、その情報を利用して、実際に広告効果が高いかどうかを判断する。
【００４３】
なお、上述のようにシステム稼働初期段階では情報が少なく測定精度が低いので、広告効果処理手段４１３は、コンテンツデータの配信前に手動で調整することで補間することも可能とする。
【００４４】
上述のように、コンテンツ生成手段４１４を制御して異なる画面テンプレートをランダムに利用したり、複数の場所で異なる画面テンプレートを利用したりするようにし、情報を補正するようにしたのは、時間経過による需要の変化に対応するためである。
【００４５】
ここで、図１０は異なる画面テンプレートの利用例を示す図である。図１０に示す例は、商品Ａの特売を企画し、通常価格４９８円から特売価格３９８円とする場合である。図１０（ａ）に示す画面テンプレートＤ１では、特売企画により変更される部分として、“特売期間”、“商品名および商品画像”、“特売価格”を表示するようにしたものである。一方、図１０（ｂ）に示す画面テンプレートＤ２では、“特売期間”、“商品名および商品画像”、“特売価格”に加えて、“通常価格”、“通常価格”−“特売価格”により計算される“値引き額”を表示するようにしたものである。これにより、図１０（ａ）に示す画面テンプレートＤ１においては、「商品Ａが現在３９８円であること」がコンテンツデータとして配信されることになり、図１０（ｂ）に示す画面テンプレートＤ２においては、「商品Ａが通常４９８円のところ、今だけ３９８円であること」がコンテンツデータとして配信されることになる。
【００４６】
広告効果が高いかどうかの指針としては、
・同一の設定で画面テンプレートを変えてコンテンツ配信を行った時の売り上げの増加量
・同一の設定で画面テンプレートを変えてコンテンツ配信を行った時に配信されたコンテンツデータに注目した客層とコンテンツ配信時間帯に多い客層のマッチング（売り上げの増加量が高くても、コンテンツに注目しやすい客層と特定の時間帯に多い客層が合わなければ期待値が低い）
などである。
【００４７】
テンプレート選択手段４１５は、データ入力手段４１１を介して企画実施期間前に企画に関する企画情報を取得し、企画情報に含まれる情報から効果測定データベースＤＢ４を参照してコンテンツ配信することによる効果が最もあると推測される画面テンプレート、すなわち広告効果が高い画面テンプレートを優先して選択する。
【００４８】
なお、適用する画面テンプレートの選択判断としては、完全にシステムで自動化するか、または、効果測定結果から得られる効果の高い画面テンプレートのリストを出力して、判断を担当者に任せるかのいずれであっても良い。
【００４９】
テンプレート選択手段４１５は、例えば、企画情報に含まれる情報で指定されたコンテンツ配信時間帯には４０代の女性客が多いというような測定情報が効果測定データベースＤＢ４にある場合、この客層に対する効果の高い画面テンプレートを適用する。より詳細には、テンプレート選択手段４１５は、対象とする客層が多い時間帯を測定情報から洗い出す。次いで、テンプレート選択手段４１５は、決定した時間帯において、特定の客層に対して効果の高い画面テンプレートを抽出し、コンテンツ生成手段４１４が売上の増加を図りたい商品情報の素材データをその画面テンプレートにはめ込んで配信する。そして、広告効果処理手段４１３が、配信期間中に測定情報を収集し、配信期間終了後、効果測定データベースＤＢ４について測定情報を基に画面テンプレートの広告効果を更新する。
【００５０】
コンテンツ生成手段４１４は、データ入力手段４１１に対してストアサーバ１６から特売情報（企画情報）が入力した場合、テンプレート選択手段４１５が最も広告効果があると推測した画面テンプレートを用いてコンテンツデータを生成し、スケジュールに登録するものである。
【００５１】
具体的には、コンテンツ生成手段４１４は、ストアサーバ１６から特売情報（企画情報）がデータ入力手段４１１に入力した場合、特売の対象商品を客に広告するための画像（例えば、商品を撮影した動画像や静止画像など）およびその画像上に重畳させて表示するテロップを、テンプレート選択手段４１５が最も効果があると推測した画面テンプレートにはめ込み、サイネージ端末１４のディスプレイユニット２１に表示させるための広告コンテンツを生成する。なお、上記テロップとしては、例えば、特売の対象商品が「黒毛和牛  １００ｇ」である場合に、その商品が特売の対象であることを示す文字（「お買い得！」など）や、特売における商品の特売価格を示す文字（「１００円」など）などが挙げられる。
【００５２】
コンテンツ送信手段４１６は、サイネージ端末１４のディスプレイユニット２１に広告表示を行わせるための処理を実行するものである。
【００５３】
より具体的には、コンテンツ送信手段４１６は、サイネージ端末１４に対して予め設定された再生スケジュールに従った広告コンテンツを配信し、その配信した広告コンテンツの再生を行わせる。また、コンテンツ送信手段４１６は、ストアサーバ１６から特売情報がデータ入力手段４１１に入力した場合には、上記再生スケジュールに従った広告コンテンツに替えて、コンテンツ送信手段４１６が生成した特売広告用の広告コンテンツをサイネージ端末１４に対して配信することにより、広告コンテンツの再生をサイネージ端末１４に行わせる。
【００５４】
企画設定処理手段４１７は、企画開始直前に予定が変更となることが考えられるため、登録されたスケジュールを修正する手段を提供するものである。企画設定処理手段４１７は、スケジュール修正の猶予をもたせるために、スケジュール登録を企画開始から何日前（または何時間前など）に行うかを設定できるようにする。このようにすることで、担当者はこの猶予期間の間、登録されたスケジュールの内容を確認して手動での調整が可能となる。
【００５５】
次に、情報配信サーバ１１における処理動作について図１１を用いて説明する。図１１は、情報配信サーバ１１における処理動作の流れを示すフローチャートである。
【００５６】
図１１に示すように、情報配信サーバ１１では、まず、データ入力手段４１１が、担当者が企画の種別と対象商品を選択し、特売期間、特売価格、コンテンツ配信時間などの必要情報を設定した特売情報（企画情報）を、ストアサーバ１６から入力する（ステップＳ１）。なお、このような企画情報は、ストアサーバ１６から入力するものではなく、情報配信サーバ１１に対して担当者が直接入力するものであっても良い。
【００５７】
次いで、テンプレート選択手段４１５は、コンテンツ配信することによる効果が最もあると推測される画面テンプレートをデータ入力手段４１１が入力した企画情報に含まれる情報に基づいて効果測定データベースＤＢ４から選択する（ステップＳ２）。
【００５８】
次いで、コンテンツ生成手段４１４は、テンプレート選択手段４１５が最も効果があると推測した画面テンプレートに企画情報に基づく素材データをはめ込み、配信コンテンツを生成し、スケジュールに登録する（ステップＳ３）。
【００５９】
次いで、コンテンツ送信手段４１６は、指定期間の指定時間となったとき、登録されたスケジュールに従ってサイネージ端末１４に対して広告コンテンツを配信し、その配信した広告コンテンツの再生を行わせる（ステップＳ４）。
【００６０】
そして、コンテンツ配信が終了するまで（ステップＳ５のＹｅｓ）、広告効果処理手段４１３は、サイネージ端末１４から情報配信サーバ１１に対して送信された測定情報を収集する（ステップＳ６）。
【００６１】
このように、本実施形態によれば、サイネージ端末に対するコンテンツデータの配信期間中における当該コンテンツデータについての広告効果の測定に用いる測定情報を取得して広告効果が高いかどうかを判断し、判断した広告効果を測定情報とともにコンテンツデータに使用する画面テンプレート毎に効果測定データベースに蓄積する。そして、入力された企画情報に基づいて効果測定データベースを参照して広告効果が高い画面テンプレートを優先して選択し、選択された画面テンプレートを用いてコンテンツデータを生成してスケジュールに登録することにより、広告効果を利用した最適な画面テンプレートの選択からコンテンツ配信までの作業を自動化し、担当者の作業の軽減とより効果の高いコンテンツ配信の実現を行うことができる。
【００６２】
なお、本実施形態においては、サイネージシステムとして情報配信サーバ１１と、複数のサイネージ端末１４とを主体に構成されているサイネージシステム１０を適用するようにしたが、これに限るものではない。例えば、情報表示システムとしてサイネージ端末１４を適用して、情報配信サーバ１１における処理動作をサイネージ端末１４に実行させるようにしても良い。
【００６３】
本実施形態の情報配信サーバ１１およびサイネージ端末１４で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００６４】
また、本実施形態の情報配信サーバ１１およびサイネージ端末１４で実行されるプログラムを、インターネット等のネットワークに接続されたコンピュータ上に格納し、ネットワーク経由でダウンロードさせることにより提供するように構成しても良い。また、本実施形態の情報配信サーバ１１で実行されるプログラムをインターネット等のネットワーク経由で提供または配布するように構成しても良い。
【００６５】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。実施形態やその変形は、発明の範囲や要旨に含まれるとともに、特許請求の範囲に記載された発明とその均等の範囲に含まれる。
【符号の説明】
【００６６】
１１      情報配信サーバ
１４      サイネージ端末
４１１    データ入力手段
４１２    測定データ受信手段
４１３    広告効果処理手段
４１４    コンテンツ生成手段
４１５    テンプレート選択手段
４１６    コンテンツ送信手段
ＤＢ４    効果測定データベース
【先行技術文献】
【特許文献】
【００６７】
【特許文献１】特開２０１０−０７９７７０号公報
【図１】
2014052399.tif 000003
【図２】
2014052399.tif 000004
【図３】
2014052399.tif 000005
【図４】
2014052399.tif 000006
【図５】
2014052399.tif 000007
【図６】
2014052399.tif 000008
【図７】
2014052399.tif 000009
【図８】
2014052399.tif 000010
【図９】
2014052399.tif 000011
【図１０】
2014052399.tif 000012
【図１１】
2014052399.tif 000013